(57)【特許請求の範囲】
【請求項１】
袋の開口における片面の開口縁部に、一定の条件下で接着性を有することになる接着帯を、所定間隔を有して２以上設けてなり、袋の開口部から収納物を充填したのち、この接着帯側片面を、２以上の接着帯の間を境にして、非接着帯側片面側に折り曲げ且つ折り込んで、少なくとも前記接着帯側片面の開口縁部の最端に位置する接着帯により、前記接着帯側片面を前記非接着帯側片面の内面に貼着し、且つ、前記非接着帯側片面を、すでに折り込んだ前記接着帯側片面に沿ってこれを覆うように折り曲げて、前記接着帯側片面の残りの接着帯により、前記接着帯側片面を前記非接着帯側片面の内面に貼着して、前記袋の開口を閉じることを特徴とする口封容易な袋。
【請求項２】
２以上の前記接着帯は、離型紙を備えた両面粘着テープにより構成されている請求項１記載の口封容易な袋。
【請求項３】
２以上の前記接着帯は、２本であり、該２本の接着帯長さは同一長さである請求項１または２記載の口封容易な袋。
【請求項４】
２以上の前記接着帯は、２本であり、前記接着帯側片面の開口縁部の最端に位置する接着帯の長さが、次に位置する接着帯の長さよりも長い請求項１または２記載の口封容易な袋。
【請求項５】
前記袋の接着帯側片面及び前記非接着帯側片面に予め折り曲げ線を設けてなり、該折り曲げ線は、２以上の前記接着帯の間を境にして前記非接着帯側片面側に折り曲げ、且つ、前記接着帯側片面及び前記非接着帯側片面の両端部を前記接着帯側片面側に折り曲げて、なるものである請求項１ないし４のいずれか１項記載の口封容易な袋。
【発明の詳細な説明】
【技術分野】
【０００１】
本発明は、米、麦、落花生等の粉粒体あるいは炭や豆炭などを収納する口封容易な袋に関するものであり、より詳しくは、開口を閉じるのに、別途機器が必要になったり、正確な位置決めを行う必要もなく、開口を閉じることができ、その上、収納物の漏れや不意に開口が開いてしまうようなこともない口封容易な袋に関するものである。
その特徴とするところは、袋の片面の開口縁部に、一定の条件下で接着性を有する接着帯を複数設けて、この接着帯側片面を非接着帯側片面側に折り込んで、接着帯を非接着帯側片面の内面に貼着し、且つ非接着帯側片面を接着帯側片面に覆うように折り曲げて、残りの接着帯を非接着帯側片面の内面に貼着して、袋の開口を閉じるようにした点にある。
【背景技術】
【０００２】
従来の袋の開口を閉じる方式は、図１３に示すように、袋５０内に粉粒体などを充填したあと、袋５０の開口５１にクレープ紙５２を合掌状に被せ、その上からミシン糸５３にて縫製して、袋５０の開口５１を閉じるものがある（例えば、特許文献１参照）。
【０００３】
また、図１４に示すように、袋５０の開口５１の一端にその開口５１を閉じるフラップ５４を延設し、開口５１の他端の外面５５に両面粘着テープ５６を貼ってなり、袋５０内に粉粒体などを充填したあと、フラップ５４にて開口５１を塞ぎ且つ両面粘着テープ５６に貼り付けて、袋５０の開口５１を閉じるものがある（例えば、特許文献２参照）。
【０００４】
また、図１５に示すように、図１４の両面粘着テープ５６に代えて、フラップ５４の内面５７及び開口５１の他端側の外面５５に自着性接着剤５８を塗ってなり、袋５０内に粉粒体などを充填したあと、フラップ５４にて開口５１を塞ぐと共に、開口５１の他端も折り畳み、且つその内面５７及び開口５１の外面５５にある自着性接着剤５８同士を貼り付けて、袋５０の開口５１を閉じるものもある（例えば、特許文献３参照）。
【０００５】
また、図１６に示すように、図１５の自着性接着剤５８に代えて、フラップ５４の内面５７及び開口５１の他端の外面５５に加熱溶融接着剤５９を塗ってなり、袋５０内に粉粒体などを充填したあと、フラップ５４にて開口５１を塞ぐと共に、開口５１の他端も折り畳み、且つフラップ５４の内面５７の加熱溶融接着剤５９を他端の外面５５に貼り付け、他端の外面５５の加熱溶融接着剤５９を他端の外面５５に貼り付けて、袋５０の開口５１を閉じるものもある（例えば、特許文献４参照）。
【先行技術文献】
【特許文献】
【０００６】
【特許文献１】実開昭５２−１０１６２６号公報
【特許文献２】特開２００１−２７８２９０号公報
【特許文献３】特開２００６−４４７０６号公報
【特許文献４】特開２００４−１４９１２９号公報
【発明の概要】
【発明が解決しようとする課題】
【０００７】
特許文献１の袋５０は、その開口５１を閉じるのに、開口５１にクレープ紙５２を合掌状に被せ、その上からミシン糸５３にて縫製するものであるから、開口５１にクレープ紙５２を合掌状に被せて仮止めする工程と、さらに縫製する工程とが必要になり煩わしく、且つ縫製機械が別途必要となる。
【０００８】
特許文献２の袋５０は、その開口５１を閉じるのに、両面粘着テープ５６の離型紙を剥がし、両面粘着テープ５６にフラップ５４を貼り付けるだけで、袋５０の開口５１を閉じことができて都合がよいが、袋５０の粉粒体などの収納物が細かいものであると、両面粘着テープ５６のみにより収納物を封止するものであるため、収納物の漏れが生ずる虞がある。
【０００９】
特許文献３の袋５０は、その開口５１を閉じるのに、開口５１の内面５７及び外面５５にある自着性接着剤５８同士を貼り付けるものであるため、位置決めを正確に行わないと、充分且つ強固に袋５０の開口５１を閉じることができず、最悪時、開口５１が開いてしまう虞がある。
【００１０】
特許文献４の袋５０は、その開口５１を閉じるのに、フラップ５４の内面５７の加熱溶融接着剤５９を他端の外面５５に貼り付け、他端の外面５５の加熱溶融接着剤５９を他端の外面５５に貼り付けるから、加熱溶融接着剤５９の加熱溶融機器が別途必要となる。
【００１１】
そこで、本発明の目的は、開口を閉じるのに、別途機器が必要になったり、正確な位置決めを行う必要も無く、開口を閉じることができ、その上、収納物の漏れや開口が開いてしまうようなこともない口封容易な袋を提供することにある。
【課題を解決するための手段】
【００１２】
本発明は、上記目的を達成するために提案されたものであって、下記の構成からなることを特徴とするものである。
すなわち、本発明によれば、袋の開口における片面の開口縁部に、一定の条件下で接着性を有することになる接着帯を、所定間隔を有して２以上設けてなり、袋の開口部から収納物を充填したのち、この接着帯側片面を、２以上の接着帯の間を境にして、非接着帯側片面側に折り曲げ且つ折り込んで、少なくとも前記接着帯側片面の開口縁部の最端に位置する接着帯により、前記接着帯側片面を前記非接着帯側片面の内面に貼着し、且つ、前記非接着帯側片面を、すでに折り込んだ前記接着帯側片面に沿ってこれを覆うように折り曲げて、前記接着帯側片面の残りの接着帯により、前記接着帯側片面を前記非接着帯側片面の内面に貼着して、前記袋の開口を閉じることを特徴とする口封容易な袋が提供される。
【００１３】
また、本発明によれば、２以上の前記接着帯は、離型紙を備えた両面粘着テープにより構成されている上記口封容易な袋が提供される。
【００１４】
また、本発明によれば、２以上の前記接着帯は、２本であり、該２本の接着帯長さは同一長さである上記口封容易な袋が提供される。
【００１５】
また、本発明によれば、２以上の前記接着帯は、２本であり、前記接着帯側片面の開口縁部の最端に位置する接着帯の長さが、次に位置する接着帯の長さよりも長い上記口封容易な袋が提供される。
【００１６】
また、本発明によれば、前記接着帯側片面及び前記非接着帯側片面に予め折り曲げ線を設けてなり、該折り曲げ線は、２以上の前記接着帯の間を境にして前記非接着帯側片面側に折り曲げ、且つ、前記接着帯側片面及び前記非接着帯側片面の両端部を前記接着帯側片面側に折り曲げて、なるものである上記口封容易な袋が提供される。
【００１７】
上記第１の課題解決手段による作用は次の通りである。
すなわち、袋の接着帯側片面を、２以上の接着帯の間を境にして、袋の開口部から収納物を充填したのち、非接着帯側片面側に折り曲げ（折曲部分）且つ折り込んで、開口縁部の最端に位置する接着帯により、接着帯側片面を非接着帯側片面の内面に貼着し（貼着部分I）、且つ非接着帯側片面を接着帯側片面に沿ってこれを覆うように折り曲げて、接着帯側片面の残りの接着帯により、接着帯側片面を非接着帯側片面の内面に貼着して（貼着部分II）、袋の開口を口封するから、袋内の収納物は、順次貼着部分I、折曲部分及び貼着部分IIにより、袋の開口から漏れるのを阻止される。貼着部分Iおよび貼着部分IIは、図６に示した。
【００１８】
上記第２の課題解決手段による作用は、開口縁部の最端に位置する接着帯である両面粘着テープの離型紙を剥がし、その状態で袋の接着帯側片面を非接着帯側片面側に折り曲げて（折曲部分）且つ折り込んで、非接着帯側片面の内面に両面粘着テープを貼着し（貼着部分I）、且つ、接着帯側片面の残りの接着帯である両面粘着テープの離型紙を剥がし、その状態で非接着帯側片面を接着帯側片面に沿ってこれを覆うように折り曲げて、接着帯側片面の残りの両面粘着テープに非接着帯側片面の内面を貼着して（貼着部分II）、袋の開口を口封する。
【００１９】
上記第３の課題解決手段による作用は、２本の接着帯長さが同一長さであると、袋の接着帯側片面に２本の接着帯を同じようにして設け得ることが出来る。
【００２０】
上記第４の課題解決手段による作用は、開口縁部の最端に位置する長い方の接着帯により、袋の開口を一時的に口封して収納物の漏れを防ぎ、短い方の接着帯により漏れた収納物の外部への漏れを防いで、接着帯を短くした分減らせる。
【００２１】
また、上記第５の課題解決手段による作用は、予め設けして、非接着帯側片面側にスムーズに折り曲げることができ、且つ、非接着帯側片面を接着帯側片面に沿ってこれを覆うように折り曲げることができる。
【発明の効果】
【００２２】
本発明の口封容易な袋は、収納物充填後にその開口を２箇所の貼着部分により閉じ、それに加えて１箇所の折曲部分によっても閉じる効果を期待できることになるから、収納物の漏れや開口が不意に開いてしまうようなことがなくなる効果がある。
【００２３】
また、本発明の口封容易な袋は、上記の効果に加えて、袋の開口を閉じるのに、別途大がかりな機器が必要になったり、正確な位置決めを行う必要もない効果がある。
【００２４】
また、本発明の口封容易は、上記の効果に加えて、袋の接着帯側片面に２本の接着帯を容易に設け得る効果がある。
【００２５】
また、本発明の口封容易な袋は、上記の効果に加えて、収納物の漏れや開口が開いてしまうことがない万全なものであるにも係わらず、接着帯の使用量を節減できる効果がある。
【００２６】
また、本発明の口封容易な袋は、上記の効果に加えて、袋の開口を閉じる作業を容易且つ正確に行うことができる効果がある。
【図面の簡単な説明】
【００２７】
【図１】実施例１に示した本発明の実施の形態を示す口封容易な袋の正面図である。
【図２】同じく実施例１に示した口封容易な袋の斜視図である。
【図３】同じく実施例１に示した口封容易な袋の底部の製作状態を示す正面図である。
【図４】同じく実施例１に示した口封容易な袋の口封作業状態を示す斜視図である。
【図５】同じく実施例１に示した口封容易な袋の口封作業状態を示す斜視図である。
【図６】図５のＸ−Ｙに沿う断面図である。
【図７】同じく実施例１に示した口封容易な袋の口封作業状態を示す斜視図である。
【図８】図７のＸ−Ｙに沿う断面図である。
【図９】実施例２に示した本発明の他の実施の形態を示す口封容易な袋の正面図であ          る。
【図１０】段落［００３９］に示した４ａ＞４ｂの態様を説明するための正面図であ          る。
【図１１】段落［００３９］に示した４ａ＝４ｂの態様を説明するための正面図であ          る。
【図１２】段落［００３９］に示したのりしろ（α１、α２）の態様を説明するための        正面図である。
【図１３】従来例を示す断面図である。
【図１４】従来例を示す断面図である。
【図１５】従来例を示す断面図である。
【図１６】従来例を示す断面図である。
【発明を実施するための形態】
【００２８】
以下に、図面を参照して本発明を実施するための最良の形態を説明する。
【実施例１】
【００２９】
図面において、口封容易な袋１は、袋２の開口６における片面３の開口縁部３ａに、一定の条件下で接着性を有することになる接着帯４を、所定間隔を有して２以上設けてなり、袋の開口部から収納物を充填したのち、この接着帯側片面３を、２以上の接着帯４の間を境にして、非接着帯側片面５側に折り曲げ且つ折り込んで、少なくとも接着帯側片面３の開口縁部３ａの最端に位置する接着帯４により、接着帯側片面３を非接着帯側片面５の内面５ａに貼着し、且つ、非接着帯側片面５を、すでに折り込んだ接着帯側片面３に沿ってこれを覆うように折り曲げて、接着帯側片面３の残りの接着帯４により、接着帯側片面３を非接着帯側片面５の内面５ａに貼着して、袋２の開口６を閉じるものである。
【００３０】
前記袋２は、一方に開口６があり、他方に閉じた底部７があるものであれば、特に限定がない。この袋２は、例えば、図３に示すように、多層紙状物による紙状筒１０を平坦に折り潰し、この紙状筒１０の底部７となる開口端部１１の両角１１ａ、１１ｂに折込み部１２、１３を形成すると共に、前記接着帯側片面３及び非接着帯側片面５の一方、すなわち、接着帯側片面３を開いて展開面１４とし、この展開面１４の開口端部１４ａを塞げるように、接着帯側片面３及び非接着帯側片面５に折れ筋１５、１５を付け、この折れ筋１５、１５に沿い接着帯側片面３及び非接着帯側片面５を折り畳んで貼り合わせ、更に、その上にカットテープ１６付の化粧紙１７を貼り合わせて、底部７を形成してなるものである。したがって、この底部７は、カットテープ１６により容易に開封することが出来、袋２として、上記のような底部７を有するものが採用されることが望ましい。
【００３１】
この紙状筒１０は、径及び長さとも使用目的に合わせた任意のものが選択され、外層紙状物、内層紙状物を有する２枚重ねにしたものが使用されているが、これに限定されず３層以上の多層でも良い。材質も特に限定がなく、クラフト紙に限らず、樹脂シート、紙に樹脂シートを貼り付けたものなどが使用される。
【００３２】
そして、袋２の開口６は、袋２内に収納物を充填したあと閉じられるから、この袋２の開口６は、収納物を充填したあと容易に閉じることができるのが都合良いことになる。すでに述べたように、袋２の片面３における開口縁部３ａに、所定間隔を有して、一定の条件下で接着性を有することになる接着帯４ａ、４ｂ…を２以上設けている。この接着帯４は、少なくとも２つあれば良く、２以上幾つあっても良いが、密封性を極めて強く要求される場合以外、２つあれば充分である。この実施例では、接着帯４ａ、４ｂの同じ長さのものが２つである。２本の接着帯４ａ、４ｂの長さが同一長さであると、袋２の接着帯付片面３に２本の接着帯４ａ、４ｂを同じようにして設けることができる。
【００３３】
この接着帯４は、一定の条件下で接着性を有することになるものであれば、特に限定がない。一定の条件下とは、そのままの状態では接着性を有さず、何らかの手段を講ずることにより接着性が具現されるものを言う。本実施例では、一定の条件下で接着性を有することになる接着帯４として、離型紙２０を備えた両面粘着テープ２１により構成されているものを用いており、作業性の点から最も好ましい態様ということが出来る。
すなわち、袋２の開口６から収納物を充填したあと、両面粘着テープ２１から離型紙２０を剥がせば、両面粘着テープ２１は、接着性を有することにから、別途接着のための器具を使用したり、特別に位置決めしたりすることもなく、接着帯４である両面粘着テープ２１は、自在の箇所に自由に接着が可能となるからである。
【００３４】
それ以外にも、接着帯４は、この離型紙２０を備えた両面粘着テープ２１に拘ることなく、例えば、自着性接着剤にて構成してもよい。この自着性接着剤とは、これの塗布面同士が接した場合にのみ接着するものであり、他の紙状物部分や充填途中の粉粒体が、自着性接着剤塗布面に接しても接着することがないものである。自着性接着剤塗布面に使用される自着性接着剤は、その自着性があれば特に限定がないが、ゴム・ラテックス、アクリル、エチレンビニルアセテート（ＥＶＡ）、ポリウレタン、ホットメルトなどが例示でき、これらから１の自着性接着剤が選択される。この自着性接着剤による接着帯４は、別途器具を使用する必要はないが、接着する相手側にも自着性接着剤による接着帯が必要となり、その上、双方の自着性接着剤塗布面同士が正確に当たるように位置決めしなければならない点で作業性上での若干の問題があるが、使用には供し得る。
【００３５】
さらに、接着帯４は、ホットメルト接着剤、いわゆる、熱溶融性接着剤にて構成してもよい。この熱溶融性接着剤は、上記の自着性接着剤の場合のように、接着する相手側にも接着帯が必要になったり、正確な位置決めが必要になったりすることはないものの、接着に際し加熱溶融器具が別途必要となる点ではやや作業性上での問題はあるが、使用できないものではない。
【００３６】
また、以上のような口封容易な袋１で、スムーズに袋２の開口６を閉じるには、予め袋２の接着帯側片面３及び非接着帯側片面５に、折り曲げ線２２を設けておく必要がある。すなわち、この折り曲げ線２２は、２つの接着帯４ａと４ｂとの間を境にして、袋２の接着帯側片面３及び非接着帯側片面５を、非接着帯側片面５側に折り曲げて、折り曲げ線２２ａを形成し、さらに、袋２の接着帯側片面３及び非接着帯側片面５の両端部３Ａ及び５Ａを接着帯側片面３側に折り曲げ、折り曲げ線２２ｂを形成することで実行される。
【００３７】
上記した口封容易な袋１の開口６を閉じるには、まず、接着帯４が離型紙２０を備えた両面粘着テープ２１である場合、接着帯４ａの離型紙２０を剥がし、接着帯側片面３の接着帯４ａと４ｂとの間を境にして、折り曲げ線２２ａ及び折り曲げ線２２ｂに沿い、接着帯側片面３を非接着帯側片面５側に折り曲げ（折曲部分）且つ折り込み、開口縁部３ａの最端に位置する接着帯４ａの両面粘着テープ２１により、接着帯側片面３を非接着帯側片面５の内面５ａに貼着する（貼着部分I）。そのあと、接着帯４ｂの離型紙２０を剥がし
、非接着帯側片面５を、すでに折り曲げ且つ折り込まれた接着帯側片面３に沿ってこれを覆うように折り曲げて、接着帯側片面３の残りの接着帯４ｂの両面粘着テープ２１により
、接着帯側片面３を非接着帯側片面５の内面５ａに貼着して（貼着部分II）、袋２の開口６を口封する。
【００３８】
したがって、上記した口封容易な袋１は、その開口６が折曲部分、貼着部分I及び貼着部分IIにより完全に口封されて、収納物の漏れや開口６の開放が全く無くなり、さらに、接着帯４を離型紙２０を備えた両面粘着テープ２１にて構成すれば、袋２の開口６を閉じるのに、別途機器が必要になったり、正確な位置決めを行う必要も無く、その上、２つの接着帯４を同じ長さにすれば、接着帯４の設置も極めて容易となる。
【実施例２】
【００３９】
図９は、他の口封容易な袋１Ａを示し、この口封容易な袋１Ａとすでに述べたものとの相違点は、２本の接着帯４ａ、４ｂの長さが異なり、袋体２の開口縁部３ａの最端に位置する接着帯４ａの長さが、次に位置する接着帯４ｂの長さよりも長い点である。このようにすることで、長い方の接着帯４ａにより、袋２の開口６を一次的に口封して収納物の漏れを防ぎ、長い方の接着帯４ａによる口封部分から漏れた収納物を、短い方の接着帯４ｂにより止めることで、収納物の外部への漏れを完全に防ぎ得て、接着帯４ｂを短くした分、材料を減らすことができる。
接着帯４ａ及び４ｂの長さが異なる場合のＬ１及びＬ２は、以下の式にて定義される。
接着帯４ａの長さ（Ｌ１）＝Ｌ−２α2
接着帯４ｂの長さ（Ｌ２）＝Ｌ−２（ω ＋α１）
また、接着帯４ａ及び４ｂの長さが同じ場合のＬ３は、以下の式にて定義される。
接着帯４ａの長さ（Ｌ３）＝Ｌ−２（ω ＋α１）
接着帯４ｂの長さ（Ｌ３）＝Ｌ−２（ω ＋α１）
Ｌ  ：袋２の巾寸法
Ｌ１：接着帯４ａ＞４ｂのとき４ａの長さ
Ｌ２ ：接着帯４ａ＞４ｂのとき４ｂの長さ
Ｌ３ ：接着帯４ａ＝４ｂのとき４ａ、４ｂの長さ
ω  ：折り曲げ線２２ａから開口６の端までの寸法
α２ ：Ｌ１がＬより短くするための余白（のりしろ）
α１ ：Ｌ２がＬ−２ωより短くするための余白（のりしろ）
なお、上記定義の態様を図１０，１１，１２に示した。
【００４０】
以上、本発明の実施例１及び２を説明したが、具体的な構成はこれに限定されず、本発明の要旨を逸脱しない範囲での変更は適宜可能であることは理解されるべきである。
【産業上の利用可能性】
【００４１】
本発明の口封容易な袋は、開口を閉じるのが極めて容易なのに、内容物の漏れや開口が開いてしまうようなことがない口封容易な袋を得たいような場合に、利用可能性が極めて高くなる。
【符号の説明】
【００４２】
１、１Ａ                  口封容易な袋
２、５０                  袋
３                        片面（接着帯付片面）
３ａ                      開口縁部
４、４ａ、４ｂ            接着帯
５                        非接着帯付片面
５ａ、５７                内面
６、５１                  開口
７                        底部
１０                      紙状筒
１１、１４ａ              開口端部
１１ａ、１１ｂ            角
１２、１３                折込み部
１４                      展開面
１５                      折れ筋
１６                      カットテープ
１７                      化粧紙
２０                      離型紙
２１、５６                両面粘着テープ
２２、２２ａ、２２ｂ      折り曲げ線
５２                      クレープ紙
５３                      ミシン糸
５４                      フラップ
５５                      外面
５８                      自着性接着剤
５９                      加熱溶融接着剤
【図１】
0005769539.tif 000002
【図２】
0005769539.tif 000003
【図３】
0005769539.tif 000004
【図４】
0005769539.tif 000005
【図５】
0005769539.tif 000006
【図６】
0005769539.tif 000007
【図７】
0005769539.tif 000008
【図８】
0005769539.tif 000009
【図９】
0005769539.tif 000010
【図１０】
0005769539.tif 000011
【図１１】
0005769539.tif 000012
【図１２】
0005769539.tif 000013
【図１３】
0005769539.tif 000014
【図１４】
0005769539.tif 000015
【図１５】
0005769539.tif 000016
【図１６】
0005769539.tif 000017